(57)【要約】【課題】オフセットの影響を軽減する。【解決手段】第２巻線２３に流れる交流電流Ｉ１の電流値に対するオフセット電流値を記憶するメモリと、交流電流Ｉ１の電流値からオフセット電流値を減算して第２巻線２３に実際に流れる電流値を算出すると共にこの電流値および測定対象回路５に注入される検査用交流信号Ｖｘの電圧値Ｖｘに基づいて測定対象回路５の抵抗値Ｒｘを算出する抵抗算出処理を実行する処理部４３とを備え、処理部４３は、抵抗算出処理において算出した抵抗値Ｒｘが抵抗しきい値以上となるかまたは負の値となるオフセット更新可能状態のときに、第２巻線２３に流れる交流電流Ｉ１の電流値を新たなオフセット電流値としてメモリに記憶させるオフセット更新処理を実行する。【選択図】図１
2010107264.tif 000002
【特許請求の範囲】
【請求項１】
測定対象回路に検査用交流信号を注入する電圧注入部と、前記検査用交流信号の注入に起因して前記測定対象回路に流れる交流電流を検出コイルで検出する電流検出部と、前記検出コイルに流れる交流電流の電流値に対するオフセット電流値を記憶する記憶部と、前記検出コイルに流れる前記交流電流の前記電流値から前記オフセット電流値を減算して当該検出コイルに流れる電流値を算出すると共に当該電流値および前記注入された検査用交流信号の電圧値に基づいて前記測定対象回路の抵抗値を算出する抵抗算出処理を実行する処理部とを備えた抵抗測定装置であって、
前記処理部は、前記抵抗算出処理において算出した前記抵抗値が予め規定された抵抗しきい値以上となるかまたは負の値となるオフセット更新可能状態のときに、前記検出コイルに流れる前記交流電流の前記電流値を新たな前記オフセット電流値として前記記憶部に記憶させるオフセット更新処理を実行する抵抗測定装置。
【請求項２】
測定対象回路に検査用交流信号を注入する電圧注入部と、前記検査用交流信号の注入に起因して前記測定対象回路に流れる交流電流を検出コイルで検出する電流検出部と、前記検出コイルに流れる交流電流の電流値に対するオフセット電流値を記憶する記憶部と、前記検出コイルに流れる前記交流電流の前記電流値から前記オフセット電流値を減算して当該検出コイルに流れる電流値を算出すると共に当該電流値および前記注入された検査用交流信号の電圧値に基づいて前記測定対象回路の抵抗値を算出する抵抗算出処理を実行する処理部とを備えた抵抗測定装置であって、
前記処理部は、前記算出した電流値が予め規定された電流しきい値以下となるオフセット更新可能状態のときに、前記検出コイルに流れる前記交流電流の前記電流値を新たな前記オフセット電流値として前記記憶部に記憶させるオフセット更新処理を実行する抵抗測定装置。
【請求項３】
前記処理部は、前記オフセット更新可能状態が所定時間以上継続したときに、前記オフセット更新処理を実行する請求項１または２記載の抵抗測定装置。
【請求項４】
操作内容に応じて更新信号を生成して前記処理部に出力する操作部を備え、
前記処理部は、前記更新信号を入力している状態において前記オフセット更新可能状態となったときにのみ前記オフセット更新処理を実行する請求項１から３のいずれかに記載の抵抗測定装置。
【請求項５】
前記電圧注入部は、基準信号に同期した前記検査用交流信号を生成し、
前記電流検出部は、反転入力端子に前記検出コイルの一端が接続されると共に非反転入力端子に基準電圧が入力された第１演算増幅器を少なくとも有して、当該検出コイルに流れる電流を第１電圧信号に変換して出力する第１増幅部と、反転入力端子に前記検出コイルの他端が接続されると共に非反転入力端子に前記基準電圧が入力された第２演算増幅器を少なくとも有して、当該検出コイルに流れる電流を前記第１電圧信号と逆位相の第２電圧信号に変換して出力する第２増幅部と、前記基準信号に同期して前記第１電圧信号および前記第２電圧信号を同期検波して、当該第１電圧信号および当該第２電圧信号のうちの正側波形のみで構成される正極性信号を抽出する第１抽出部と、前記基準信号に同期して前記第１電圧信号および前記第２電圧信号を同期検波して、当該第１電圧信号および当該第２電圧信号のうちの負側波形のみで構成される負極性信号を抽出する第２抽出部と、前記正極性信号および前記負極性信号の差分信号を出力する差動増幅部とを備え、当該差分信号に基づいて前記測定対象回路に流れる前記交流電流を検出する請求項１から４のいずれかに記載の抵抗測定装置。
【請求項６】
前記電圧注入部は、基準信号に同期した前記検査用交流信号を生成し、
前記電流測定部は、反転入力端子に前記検出コイルの一端が接続されると共に非反転入力端子に基準電圧が入力された第１演算増幅器を少なくとも有して、当該検出コイルに流れる電流を第１電圧信号に変換して出力する第１増幅部と、反転入力端子に前記検出コイルの他端が接続されると共に非反転入力端子に前記基準電圧が入力された第２演算増幅器を少なくとも有して、当該検出コイルに流れる電流を前記第１電圧信号と逆位相の第２電圧信号に変換して出力する第２増幅部と、前記第１電圧信号および前記第２電圧信号の差分信号を出力する第３増幅部と、前記基準信号に同期して前記差分信号を同期検波して、当該差分信号の正側波形のみまたは負側波形のみで構成される片極性信号を抽出する抽出部とを備え、当該片極性信号に基づいて前記測定対象回路に流れる前記交流電流を検出する請求項１から４のいずれかに記載の抵抗測定装置。
【発明の詳細な説明】
【技術分野】
【０００１】
本発明は、測定対象回路の抵抗値を測定する抵抗測定装置に関するものである。
【背景技術】
【０００２】
この種の抵抗測定装置として、下記の特許文献１に開示された抵抗測定装置が知られている。この抵抗測定装置は、測定回路網の接続導線をクリップして測定回路網（測定対象）に流れる第１周波数の電流と弁別し得る第２周波数の電流を測定回路網に注入する注入用変成器と、測定回路網に流れている上記の２種類の電流を接続導線にクリップして検出する検出用変成器と、検出用変成器の出力のうち第２周波数の成分を取り出す周波数選択回路（具体的には周波数選択増幅回路）と、周波数選択回路から出力される電圧を整流増幅する整流増幅回路と、整流増幅回路の出力を表示する表示手段（具体的には指示計）を具備し、さらに、注入用変成器は、発振器の出力電圧が与えられて第２周波数の電流を測定回路網に注入する注入コイル、および帰還コイルを有し、帰還コイルに誘起する電圧が一定値に制御されるように注入コイルに供給される電圧を可変するようにした帰還ループを備えて構成されている。この抵抗測定装置では、帰還コイルに誘起する電圧を測定回路網の接続導線数（クリップされる本数。１本）に対する帰還コイルの巻線数の比で除算して得られる注入電圧についても一定値に制御されるため、検出用変成器に流れる電流に起因してこの検出用変成器に接続された抵抗に発生する電圧を検出することにより、この検出用変成器に接続された抵抗の抵抗値、この抵抗に発生する電圧、帰還コイルに発生する電圧、注入用変成器の巻数および検出用変成器の巻数に基づいて、測定回路網に接続された抵抗素子の値（被測定抵抗）を測定することが可能となっている。
【特許文献１】特公平２−７０３１号公報（第１−４頁、第２図）
【発明の開示】
【発明が解決しようとする課題】
【０００３】
ところが、上記の抵抗測定装置には、以下の問題点が存在する。すなわち、この抵抗測定装置では、検出用変成器の出力に含まれている周波数成分のうちの第２周波数の成分を周波数選択回路（具体的には周波数選択増幅回路）を用いて選択的に増幅している。この場合、この周波数選択回路のような増幅回路には一般的にオフセットが生じ、このオフセットは抵抗測定装置において測定誤差の原因となる。このため、増幅回路は、通常、オフセット調整用の回路を含んで構成されて、抵抗測定装置の出荷前の調整工程においてオフセットがゼロになるように調整（オフセットのキャンセル調整）される。しかしながら、抵抗測定装置では、増幅回路がこのようにオフセットの無い状態に一旦調整されたとしても、温度や湿度などの環境条件の変化や、増幅回路を構成する電子部品の特性の経時変化に起因して、増幅回路にオフセットが発生することがあり、このオフセットによって測定誤差が生じるという問題点が存在している。また、出願人は、電源投入の都度（電源投入のたびに一回だけ）、オフセットを自動的にキャンセルする機能を備えた抵抗測定装置を開発しているが、やはり、使用中の環境条件の変化や、電子部品の経時変化に起因して発生するオフセットについてはキャンセルできないという課題が存在している。
【０００４】
本発明は、かかる問題点を解決すべくなされたものであり、オフセットの影響を軽減し得る抵抗測定装置を提供することを主目的とする。
【課題を解決するための手段】
【０００５】
上記目的を達成すべく請求項１記載の抵抗測定装置は、測定対象回路に検査用交流信号を注入する電圧注入部と、前記検査用交流信号の注入に起因して前記測定対象回路に流れる交流電流を検出コイルで検出する電流検出部と、前記検出コイルに流れる交流電流の電流値に対するオフセット電流値を記憶する記憶部と、前記検出コイルに流れる前記交流電流の前記電流値から前記オフセット電流値を減算して当該検出コイルに流れる電流値を算出すると共に当該電流値および前記注入された検査用交流信号の電圧値に基づいて前記測定対象回路の抵抗値を算出する抵抗算出処理を実行する処理部とを備えた抵抗測定装置であって、前記処理部は、前記抵抗算出処理において算出した前記抵抗値が予め規定された抵抗しきい値以上となるかまたは負の値となるオフセット更新可能状態のときに、前記検出コイルに流れる前記交流電流の前記電流値を新たな前記オフセット電流値として前記記憶部に記憶させるオフセット更新処理を実行する。
【０００６】
また、請求項２記載の抵抗測定装置は、測定対象回路に検査用交流信号を注入する電圧注入部と、前記検査用交流信号の注入に起因して前記測定対象回路に流れる交流電流を検出コイルで検出する電流検出部と、前記検出コイルに流れる交流電流の電流値に対するオフセット電流値を記憶する記憶部と、前記検出コイルに流れる前記交流電流の前記電流値から前記オフセット電流値を減算して当該検出コイルに流れる電流値を算出すると共に当該電流値および前記注入された検査用交流信号の電圧値に基づいて前記測定対象回路の抵抗値を算出する抵抗算出処理を実行する処理部とを備えた抵抗測定装置であって、前記処理部は、前記算出した電流値が予め規定された電流しきい値以下となるオフセット更新可能状態のときに、前記検出コイルに流れる前記交流電流の前記電流値を新たな前記オフセット電流値として前記記憶部に記憶させるオフセット更新処理を実行する。
【０００７】
また、請求項３記載の抵抗測定装置は、請求項１または２記載の抵抗測定装置において、前記処理部は、前記オフセット更新可能状態が所定時間以上継続したときに、前記オフセット更新処理を実行する。
【０００８】
また、請求項４記載の抵抗測定装置は、請求項１から３のいずれかに記載の抵抗測定装置において、操作内容に応じて更新信号を生成して前記処理部に出力する操作部を備え、前記処理部は、前記更新信号を入力している状態において前記オフセット更新可能状態となったときにのみ前記オフセット更新処理を実行する。
【０００９】
また、請求項５記載の抵抗測定装置は、請求項１から４のいずれかに記載の抵抗測定装置において、前記電圧注入部は、基準信号に同期した前記検査用交流信号を生成し、前記電流検出部は、反転入力端子に前記検出コイルの一端が接続されると共に非反転入力端子に基準電圧が入力された第１演算増幅器を少なくとも有して、当該検出コイルに流れる電流を第１電圧信号に変換して出力する第１増幅部と、反転入力端子に前記検出コイルの他端が接続されると共に非反転入力端子に前記基準電圧が入力された第２演算増幅器を少なくとも有して、当該検出コイルに流れる電流を前記第１電圧信号と逆位相の第２電圧信号に変換して出力する第２増幅部と、前記基準信号に同期して前記第１電圧信号および前記第２電圧信号を同期検波して、当該第１電圧信号および当該第２電圧信号のうちの正側波形のみで構成される正極性信号を抽出する第１抽出部と、前記基準信号に同期して前記第１電圧信号および前記第２電圧信号を同期検波して、当該第１電圧信号および当該第２電圧信号のうちの負側波形のみで構成される負極性信号を抽出する第２抽出部と、前記正極性信号および前記負極性信号の差分信号を出力する差動増幅部とを備え、当該差分信号に基づいて前記測定対象回路に流れる前記交流電流を検出する。
【００１０】
また、請求項６記載の抵抗測定装置は、請求項１から４のいずれかに記載の抵抗測定装置において、前記電圧注入部は、基準信号に同期した前記検査用交流信号を生成し、前記電流測定部は、反転入力端子に前記検出コイルの一端が接続されると共に非反転入力端子に基準電圧が入力された第１演算増幅器を少なくとも有して、当該検出コイルに流れる電流を第１電圧信号に変換して出力する第１増幅部と、反転入力端子に前記検出コイルの他端が接続されると共に非反転入力端子に前記基準電圧が入力された第２演算増幅器を少なくとも有して、当該検出コイルに流れる電流を前記第１電圧信号と逆位相の第２電圧信号に変換して出力する第２増幅部と、前記第１電圧信号および前記第２電圧信号の差分信号を出力する第３増幅部と、前記基準信号に同期して前記差分信号を同期検波して、当該差分信号の正側波形のみまたは負側波形のみで構成される片極性信号を抽出する抽出部とを備え、当該片極性信号に基づいて前記測定対象回路に流れる前記交流電流を検出する。
【発明の効果】
【００１１】
請求項１記載の抵抗測定装置によれば、抵抗算出処理において算出した抵抗値が予め規定された抵抗しきい値以上となるかまたは負の値となるオフセット更新可能状態のときに、処理部がオフセット更新処理を実行して、検出コイルに流れる交流電流の電流値を新たなオフセット電流値として記憶部に記憶させるため、常に最新のオフセット電流値を使用して抵抗値が算出される結果、温度や湿度などの環境条件の変化や、電子部品の経時変化に起因して、オフセットが発生するような状況下においても、常に高い精度で抵抗値を測定することができる。
【００１２】
請求項２記載の抵抗測定装置によれば、抵抗算出処理において算出した検出コイルを流れる電流値が予め規定された電流しきい値以下となるオフセット更新可能状態のときに、処理部がオフセット更新処理を実行して、検出コイルに流れる交流電流の電流値を新たなオフセット電流値として記憶部に記憶させるため、常に最新のオフセット電流値を使用して抵抗値が算出される結果、環境条件の変化や、電子部品の経時変化に起因してオフセットが発生するような状況下においても、常に高い精度で抵抗値を測定することができる。
【００１３】
また、請求項３記載の抵抗測定装置によれば、オフセット更新可能状態が所定時間以上継続したときに、すなわち、検出コイルに流れる交流電流の電流値が安定しているときに、オフセット更新処理を実行するため、この交流電流の電流値が安定しない状態でのオフセット電流値の更新を回避することができる結果、測定される測定対象回路の抵抗値の信頼性を十分に向上させることができる。
【００１４】
また、請求項４記載の抵抗測定装置によれば、操作部を操作することにより、作業者が所望するタイミングでオフセット電流値の更新をすることができる。
【００１５】
また、請求項５記載の抵抗測定装置では、検出コイルの一端が反転入力端子に接続された第１演算増幅器を有して検出コイルに流れる電流を第１電圧信号に変換して出力する第１増幅部と、検出コイルの他端が反転入力端子に接続された第２演算増幅器を有して検出コイルに流れる電流を第１電圧信号と逆位相の第２電圧信号に変換して出力する第２増幅部と、基準信号に同期して第１電圧信号および第２電圧信号を同期検波して第１電圧信号および第２電圧信号の正側波形のみで構成される正極性信号を抽出する第１抽出部と、基準信号に同期して第１電圧信号および第２電圧信号を同期検波して第１電圧信号および第２電圧信号の負側波形のみで構成される負極性信号を抽出する第２抽出部と、正極性信号および負極性信号の差分信号を出力する差動増幅部とを備えて電流検出部が構成されている。したがって、この抵抗測定装置によれば、シングルエンドでの検出コイルの使用や、シャント抵抗の使用が回避できるため、十分な検出ゲインを維持しつつ良好な周波数特性を確保することができる。また、第２巻線の各端部に接続された第１増幅部と第２増幅部とが、検出コイルに流れる電流に基づいて、互いの位相が反転する第１電圧信号と第２電圧信号とを出力し、差動増幅部が、これらの信号に基づいて各抽出部で生成される正極性信号および負極性信号の差分信号を出力する構成のため、検出コイルに流れる電流にコモンモードノイズが重畳していたとしても、差動増幅部においてコモンモードノイズをキャンセルすることができる。また、各抽出部が、基準信号に同期して第１および第２電圧信号を同期検波して、正極性信号および負極性信号を抽出する構成のため、検出コイルの電流にノーマルモードノイズが含まれている場合でも、このノーマルモードノイズを除去することができる。
【００１６】
また、請求項６記載の抵抗測定装置では、検出コイルの一端が反転入力端子に接続された第１演算増幅器を有して検出コイルに流れる電流を第１電圧信号に変換して出力する第１増幅部と、検出コイルの他端が反転入力端子に接続された第２演算増幅器を有して検出コイルに流れる電流を第１電圧信号と逆位相の第２電圧信号に変換して出力する第２増幅部と、第１電圧信号および第２電圧信号の差分信号を出力する差動増幅部と、基準信号に同期して差分信号を同期検波して、差分信号の正側波形のみまたは負側波形のみで構成される片極性信号を抽出する抽出部とを備えて電流検出部が構成されている。したがって、このこの抵抗測定装置によれば、シングルエンドでの検出コイルの使用や、シャント抵抗の使用が回避できるため、十分な検出ゲインを維持しつつ良好な周波数特性を確保することができる。また、第２巻線の各端部に接続された第１増幅部と第２増幅部とが、検出コイルに流れる電流に基づいて、互いの位相が反転する第１電圧信号と第２電圧信号とを出力し、差動増幅部が、これらの信号の差分を差分信号として出力する構成のため、検出コイルに流れる電流にコモンモードノイズが重畳していたとしても、差動増幅部においてコモンモードノイズをキャンセルすることができる。また、抽出部が、基準信号に同期して差分信号を同期検波して、片極性信号を抽出する構成のため、検出コイルの電流にノーマルモードノイズが含まれている場合でも、このノーマルモードノイズを除去することができる。
【発明を実施するための最良の形態】
【００１７】
以下、本発明に係る抵抗測定装置の最良の形態について、添付図面を参照して説明する。
【００１８】
最初に、本発明に係る抵抗測定装置１の構成について、図面を参照して説明する。
【００１９】
図１に示す抵抗測定装置１は、クランプ部２、およびクランプ部２とケーブル３を介して接続された装置本体部４を備え、測定対象回路５の抵抗（ループ抵抗）の抵抗値Ｒｘを測定可能に構成されている。
【００２０】
クランプ部２は、図１に示すように、注入クランプ部１１、検出クランプ部２１およびハウジング３１を備えて構成されている。一例として、本例では、注入クランプ部１１は、２つに分割された第１環状コア１２、および第１環状コア１２に巻回された注入コイルとしての第１巻線１３（既知のターン数：Ｎ１）を有している。また、検出クランプ部２１は、２つに分割された第２環状コア２２、および第２環状コア２２に巻回された第２巻線２３（本発明における検出コイル（既知のターン数：Ｎ２））を有している。また、注入クランプ部１１および検出クランプ部２１は、先端が開閉自在なクランプ型の樹脂製のハウジング３１に共に収容されて、このハウジング３１の開閉動作に伴い、それぞれの第１環状コア１２および第２環状コア２２が同時に開閉するように構成されている。この構成により、ハウジング３１を開状態としてその内側に測定対象回路５の一部を構成する配線５ａを導入することで、開状態となった第１環状コア１２および第２環状コア２２のそれぞれの内側にも配線５ａが導入され、この状態においてハウジング３１を閉状態とすることで、閉状態となった第１環状コア１２および第２環状コア２２によって配線５ａが同時にクランプされた状態、すなわちクランプ部２によって配線５ａがクランプされた状態となる。この場合、配線５ａは、第１環状コア１２および第２環状コア２２において１ターンの巻線として機能する。
【００２１】
装置本体部４は、図１に示すように、電圧注入部４１、電流検出部４２、処理部４３および出力部４４を備えている。電圧注入部４１は、Ｄ／Ａ変換部５１、電力増幅部５２および注入クランプ部１１を備えて構成されている。この場合、Ｄ／Ａ変換部５１は、処理部４３から出力された交流波形データ（本例では一定の周期Ｔで値が一巡する正弦波波形データ）Ｄｖに基づいて、図３に示すように周期Ｔの交流電圧Ｖａ（周波数ｆ（＝１／Ｔ））を生成して出力する。電力増幅部５２は、この交流電圧Ｖａを所定の増幅率で増幅して予め規定された電圧値（本例では電圧実効値）の交流電圧Ｖ１を生成すると共に、生成した交流電圧Ｖ１を注入クランプ部１１の第１巻線１３に印加する。これにより、注入クランプ部１１を介して測定対象回路５に所定の電流値（本例では電流実効値）の検査用交流信号Ｖｘが注入される。この場合、上記したように配線５ａが第１環状コア１２において１ターンの巻線として機能するため、測定対象回路５に注入される検査用交流信号Ｖｘは、その電圧値が交流電圧Ｖ１をターン数Ｎ１で除算して得られる電圧値（Ｖｘ＝Ｖ１／Ｎ１）となる。また、検査用交流信号Ｖｘは交流電圧Ｖａに基づいて生成されるため、交流電圧Ｖａと同期した信号、つまり後述する基準信号Ｓｒに同期した信号となる。検出クランプ部２１は、第２環状コア２２において配線５ａが１ターンの巻線として機能するため、測定対象回路５に流れる交流電流Ｉｘを検出して、その第２巻線２３に検出電流（本発明における検出コイルに流れる電流）Ｉ１（＝Ｉｘ／Ｎ２）を出力する。
【００２２】
電流検出部４２は、検出クランプ部２１、第１増幅部６１、第１バンドパスフィルタ（以下、「第１ＢＰＦ」ともいう）６２、第１切替部６３、第２増幅部６４、第２バンドパスフィルタ（以下、「第２ＢＰＦ」ともいう）６５、第２切替部６６、差動増幅部６７、低域通過型フィルタ（以下、「ＬＰＦ」ともいう）６８、直流増幅部６９およびＡ／Ｄ変換部７０を備えている。この場合、第１増幅部６１は、第２巻線２３の一端に接続されて、この一端に発生する検出電流Ｉ１を第１電圧信号Ｖｂ１に変換して出力する。また、第１増幅部６１は、一例として、図２に示すように、第１演算増幅器６１ａ、抵抗６１ｂ，６１ｃ，６１ｄおよび第１コンデンサ６１ｅを備えて構成されている。この場合、第１演算増幅器６１ａは、その反転入力端子が第２巻線２３の一端に直接接続され、反転入力端子と出力端子との間に抵抗６１ｂが帰還抵抗として接続され、非反転入力端子が抵抗６１ｃを介して接地されて（基準電圧（グランド）が入力される一例）、入力した検出電流Ｉ１を電圧信号Ｖｂ（振幅が検出電流Ｉ１の電流値に比例して変化する信号）に変換して出力する。第１コンデンサ６１ｅは、第１演算増幅器６１ａの後段に配設されて（本例では、その一端が第１演算増幅器６１ａの出力端子に直接接続されて）、電圧信号Ｖｂに含まれる直流成分を除去する。また、第１コンデンサ６１ｅは、その他端が抵抗６１ｄを介して接地されている。これにより、第１コンデンサ６１ｅにおいて直流成分が除去された電圧信号Ｖｂは、その直流レベルが接地電位（ゼロボルト）に規定されて、ゼロボルトを中心として変化する交流信号である第１電圧信号Ｖｂ１として第１増幅部６１から出力される。
【００２３】
第１ＢＰＦ６２は、一例としてバンドパスフィルタに構成されて、入力した第１電圧信号Ｖｂ１に含まれている交流電圧Ｖａの高調波成分を除去して（フィルタリング処理して）、第１電圧信号Ｖｂ２として出力する。具体的には、第１ＢＰＦ６２は、第１電圧信号Ｖｂ１に含まれている交流電圧Ｖａの基本周波数成分（周波数ｆの成分。検査用交流信号Ｖｘの基本周波数成分でもある）を選択的に（主として）通過させることで、第１電圧信号Ｖｂ２を出力する。
【００２４】
第１切替部６３は、本発明における第１抽出部の一例であって、第１電圧信号Ｖｂ２の正側波形および第２ＢＰＦ６５から出力される後述の第２電圧信号Ｖｃ２の正側波形で構成される脈流信号である正極性信号Ｖｄを抽出して出力する。具体的には、第１切替部６３は、例えばアナログスイッチで構成されて、処理部４３から出力される基準信号Ｓｒ（図３に示すように交流電圧Ｖａに同期し、かつデューティ比が０．５のクロック信号）に同期して、同図に示すように、第１電圧信号Ｖｂ２と第２電圧信号Ｖｃ２とを半周期ずつ切り替えて出力する（同期検波動作する）ことにより、正極性信号Ｖｄを出力する。
【００２５】
第２増幅部６４は、第２巻線２３の他端に接続されて、この他端に発生する検出電流Ｉ１を第２電圧信号Ｖｃ１に変換して出力する。また、第２増幅部６４は、一例として、図２に示すように、第２演算増幅器６４ａ、抵抗６４ｂ，６４ｃ，６４ｄおよび第２コンデンサ６４ｅを備えて、第１増幅部６１と同一に構成されている。この場合、第２演算増幅器６４ａは、その反転入力端子が第２巻線２３の他端に直接接続され、反転入力端子と出力端子との間に抵抗６４ｂが帰還抵抗として接続され、非反転入力端子が抵抗６４ｃを介して接地されて（基準電圧（グランド）が入力される一例）、入力した検出電流Ｉ１を電圧信号Ｖｃ（振幅が検出電流Ｉ１の電流値に比例して変化し、かつ電圧信号Ｖｂと逆極性の信号）に変換して出力する。第２コンデンサ６４ｅは、第２演算増幅器６４ａの後段に配設されて（本例では、その一端が第２演算増幅器６４ａの出力端子に直接接続されて）、電圧信号Ｖｃに含まれる直流成分を除去する。また、第２コンデンサ６４ｅは、その他端が抵抗６４ｄを介して接地されている。これにより、第２コンデンサ６４ｅにおいて直流成分が除去された電圧信号Ｖｃは、その直流レベルが接地電位（ゼロボルト）に規定されて、ゼロボルトを中心として変化する交流信号である第２電圧信号Ｖｃ１として第２増幅部６４から出力される。ここで、第２巻線２３の他端に発生する検出電流Ｉ１は、一端に発生する検出電流Ｉ１と位相が反転したものとなる。このため、第２演算増幅器６４ａは、入力した検出電流Ｉ１を電圧信号Ｖｂと位相が反転した電圧信号Ｖｃに変換して出力する。これにより、第２増幅部６４は、ゼロボルトを中心として変化し、かつ第１電圧信号Ｖｂ１と位相が反転した交流信号である第２電圧信号Ｖｃ１を生成して出力する。
【００２６】
第２ＢＰＦ６５は、一例として第１ＢＰＦ６２と同様のバンドパスフィルタに構成されて、入力した第２電圧信号Ｖｃ１に含まれている交流電圧Ｖａの高調波成分を除去して（フィルタリング処理して）、第２電圧信号Ｖｃ２として出力する。第２切替部６６は、本発明における第２抽出部の一例であって、第１切替部６３と同一の構成を備えて、第１電圧信号Ｖｂ２の負側波形および第２電圧信号Ｖｃ２の負側波形で構成される脈流信号である負極性信号Ｖｅを抽出して出力する。具体的には、第２切替部６６は、例えばアナログスイッチで構成されて、基準信号Ｓｒに同期して、図３に示すように、第１電圧信号Ｖｂ２と第２電圧信号Ｖｃ２とを半周期ずつ切り替えて出力する（同期検波動作する）ことにより、負極性信号Ｖｅを出力する。
【００２７】
差動増幅部６７は、正極性信号Ｖｄおよび負極性信号Ｖｅを入力して、これらの信号Ｖｄ，Ｖｅの差分を演算すると共に、所定の増幅率でこの差分を増幅して差分信号Ｖｆとして出力する。本例では、差動増幅部６７は、一例として、図２に示すように、演算増幅器６７ａ、第１切替部６３と演算増幅器６７ａの非反転入力端子との間に接続された抵抗６７ｂ、第２切替部６６と演算増幅器６７ａの反転入力端子との間に接続された抵抗６７ｃ、演算増幅器６７ａの非反転入力端子と基準電圧（この例ではグランド）との間に接続された抵抗６７ｄ、および演算増幅器６７ａの反転入力端子と出力端子との間に接続された抵抗６７ｅを備えている。また、差分信号Ｖｆは、正極性信号Ｖｄおよび負極性信号Ｖｅの差分が増幅されたものであるため、図３に示すように、各極性信号Ｖｄ，Ｖｅに同期する脈流信号（本例では一例として正側波形で構成される脈流信号であるが、負側波形で構成される脈流信号でもよい）となる。このため、このような信号Ｖｄ，Ｖｅの差分の演算および増幅を行う差動増幅部６７は、上記の構成を備えて、広帯域増幅器として機能する。この場合、差分信号Ｖｆは、検出電流Ｉ１の電流値に振幅がそれぞれ比例する電圧信号Ｖｂ，Ｖｃに基づいて上記のように生成されるため、差分信号Ｖｆの振幅も検出電流Ｉ１の電流値に比例したものとなっている。
【００２８】
ＬＰＦ６８は、差分信号Ｖｆに含まれている交流成分のほとんどを除去して、直流成分Ｖｄｃ（図３参照）を選択的に通過させる。直流増幅部６９は、所定の増幅率で直流成分Ｖｄｃを増幅して直流電圧Ｖｄｃ１として出力する。また、直流増幅部６９が増幅する信号は直流成分Ｖｄｃであるため、直流増幅部６９は、差動増幅部６７とは異なり広帯域増幅器としては構成されておらず、直流成分を主として増幅する狭帯域増幅器として構成されている。Ａ／Ｄ変換部７０は、この直流電圧Ｖｄｃ１をデジタルデータに変換して電流データＤｉとして出力する。したがって、Ａ／Ｄ変換部７０から出力される電流データＤｉは検出電流Ｉ１の電流値に比例したデータとなり、この電流データＤｉに第２巻線２３のターン数（Ｎ２）が乗算され、かつこの乗算値が上記の差動増幅部６７および直流増幅部６９の各増幅率で除算されることにより、測定対象回路５に流れる交流電流Ｉｘの電流値が算出される。
【００２９】
処理部４３は、ＣＰＵおよびメモリを備えて構成されて、オフセット更新処理および抵抗測定処理を実行する。メモリはＲＡＭ等で構成されて本発明における記憶部に相当し、メモリには、抵抗測定処理において使用するオフセット電流値Ｉｏｆｆの初期値、およびオフセット更新処理において使用される抵抗しきい値Ｒｔｈが予め記憶されている。なお、オフセット電流値Ｉｏｆｆの初期値については、抵抗測定装置１の製造段階においてメモリに記憶させる構成でもよいし、抵抗測定装置１の製造段階においてはメモリに記憶させずに、電源投入時において、処理部４３がＡ／Ｄ変換部７０から出力される電流データＤｉをオフセット電流値Ｉｏｆｆの初期値としてメモリに記憶する構成とすることもできる。また、メモリは、抵抗測定処理において処理部４３によって算出された抵抗値Ｒｘのうちの最新の複数個（本例では５個）が記憶可能に構成されている。
【００３０】
この抵抗しきい値Ｒｔｈはオフセット更新処理においてオフセット電流値Ｉｏｆｆの更新実行の条件となるものであり、このオフセット電流値Ｉｏｆｆの更新は、クランプ部２が閉じた状態であって、かつ、このクランプ部２が何もクランプしていない状態であるか、または何らかの配線をクランプしていたとしてもその配線がオープン状態（閉回路となっていない状態）であるとき（これらをまとめて「オープン状態のとき」ともいう）に実行されるべきものである。このため、このオープン状態に近い状態のときにオフセット電流値Ｉｏｆｆが更新されるようにするため、抵抗しきい値Ｒｔｈは、このオープン状態のときに処理部４３において算出される抵抗値Ｒｘよりも小さく、かつ抵抗測定装置１の測定範囲の上限値Ｒｍａｘ（例えば、測定範囲が０Ω以上１６００Ω以下のときには、１６００Ω）を超える値（好ましくは、大幅に超える値であって、上限値Ｒｍａｘの２倍程度かそれ以上の値。本例では３０００Ω）に規定されている。なお、上限値Ｒｍａｘを大幅に超える値としたのは、上記のオープン状態により近い状態（オープン状態に近似する状態）でオフセット電流値Ｉｏｆｆの更新を実行させるためである。出力部４４は、一例としてモニタ装置などで構成されて、抵抗測定処理の結果を表示する。
【００３１】
次に、抵抗測定装置１による抵抗測定処理１００について、図４を参照して説明する。なお、処理部４３は、この抵抗測定処理１００を所定周期（例えば、数秒〜十数秒周期）で繰り返し実行する。
【００３２】
この抵抗測定処理１００では、処理部４３は、まず、所定の周波数ｆの交流電圧Ｖ１の注入クランプ部１１への印加処理を開始する（ステップ１０１）。具体的には、この印加処理において、処理部４３は、周波数ｆの交流電圧Ｖａを生成させるための交流波形データＤｖの電圧注入部４１への出力を開始する。これにより、電圧注入部４１では、Ｄ／Ａ変換部５１が、この交流波形データＤｖを交流電圧（アナログ信号）Ｖａに変換して出力し、電力増幅部５２が、この交流電圧Ｖａを交流電圧Ｖ１に増幅して注入クランプ部１１の第１巻線１３に印加する。
【００３３】
これにより、注入クランプ部１１が測定対象回路５の配線５ａをクランプした状態にあるときには、注入クランプ部１１から測定対象回路５に検査用交流信号Ｖｘ（周波数ｆ）が注入される。このため、測定対象回路５には、検査用交流信号Ｖｘの注入に起因して、周波数ｆの交流電流Ｉｘが流れる。また、処理部４３は、交流波形データＤｖの出力開始と同時に、交流波形データＤｖの一巡するタイミングに同期し、かつ周波数がｆに規定された基準信号Ｓｒの各切替部６３，６６への出力も開始する。
【００３４】
この周波数ｆの検査用交流信号Ｖｘが測定対象回路５へ注入されている状態において、電流検出部４２は、交流電流Ｉｘを検出して、電流データＤｉを生成する。具体的には、電流検出部４２では、検出クランプ部２１が、測定対象回路５に流れる交流電流Ｉｘを検出して、その第２巻線２３から検出電流Ｉ１を出力し、第１および第２増幅部６１，６４が、この検出電流Ｉ１を第１および第２電圧信号Ｖｂ１，Ｖｃ１に変換して出力する。この場合、この電流検出部４２では、従来の構成（検出コイルとしての第２巻線２３をシングルエンドで使用し、電流検出のための抵抗を直列に接続する構成）とは異なり、第２巻線２３の各端部を演算増幅器６１ａ，６４ａの反転入力端子に接続する構成としたことにより、ゲインの低下や周波数特性の劣化を招くおそれのある電流検出用の抵抗（シャント抵抗）を不要とすることができ、十分な検出ゲインを維持しつつ良好な周波数特性が確保されている。
【００３５】
次いで、第１および第２ＢＰＦ６２，６５が、対応する電圧信号Ｖｂ１，Ｖｃ１に含まれている高調波成分を除去して、第１および第２電圧信号Ｖｂ２，Ｖｃ２として出力し、各切替部６３，６６が、この第１および第２電圧信号Ｖｂ２，Ｖｃ２を基準信号Ｓｒに同期して切り替えることにより、正極性信号Ｖｄおよび負極性信号Ｖｅを生成して出力する。この場合、ノーマルモードノイズが検出電流Ｉ１に含まれていたとしても、各切替部６３，６６による基準信号Ｓｒに同期した各信号Ｖｂ２，Ｖｃ２に対する上記の切替動作により、このノーマルモードノイズが除去される。
【００３６】
続いて、差動増幅部６７が、この正極性信号Ｖｄおよび負極性信号Ｖｅの差分を演算すると共に増幅して差分信号Ｖｆとして出力する。次いで、ＬＰＦ６８が差分信号Ｖｆに含まれている直流成分Ｖｄｃを選択的に通過させ、直流増幅部６９が、この直流成分Ｖｄｃを増幅して直流電圧Ｖｄｃ１として出力する。最後に、Ａ／Ｄ変換部７０が、この直流電圧Ｖｄｃ１をデジタルデータに変換して電流データＤｉとして処理部４３に出力する。この場合、電流検出部４２では、第２巻線２３の各端部に接続された第１増幅部６１と第２増幅部６４とが、それぞれが接続された第２巻線２３の端部に発生する検出電流Ｉ１に基づいて、互いの位相が反転する第１電圧信号Ｖｂ１と第２電圧信号Ｖｃ１とを出力し、差動増幅部６７が、これらの信号Ｖｂ１，Ｖｃ１に基づいて各切替部６３，６６で生成される正極性信号Ｖｄおよび負極性信号Ｖｅの差分を演算して差分信号Ｖｆを生成する。このため、検出電流Ｉ１にコモンモードノイズが重畳していたとしても、差動増幅部６７が差分演算を行うことにより、このノイズがキャンセルされる。したがって、電流データＤｉには、増幅された検出電流Ｉ１のデータ、および電流検出部４２で発生するオフセット電流値Ｉｏｆｆのみが含まれた状態となる。
【００３７】
次いで、処理部４３は、測定対象回路５の抵抗値Ｒｘの算出・記憶処理を実行する（ステップ１０２）。この算出・記憶処理では、処理部４３は、まず、電流データＤｉに基づいて検出電流Ｉ１の真の電流値（実際に第２巻線２３に流れる電流値であって、本例では電流実効値）Ｉ１ｒｅを算出する算出処理を実行する。具体的には、処理部４３は、まず、電流データＤｉと、差動増幅部６７および直流増幅部６９の各増幅率とに基づいて、検出電流Ｉ１の電流値（実効値）Ｉ１ｅを算出する。次いで、処理部４３は、メモリに記憶されているオフセット電流値Ｉｏｆｆを検出電流Ｉ１の電流値Ｉ１ｅから減算することにより、検出電流Ｉ１についての電流値Ｉ１ｒｅ（＝Ｉ１ｅ−Ｉｏｆｆ）を算出する。
【００３８】
続いて、処理部４３は、交流電圧Ｖ１の電圧実効値および第１巻線１３のターン数（Ｎ１）に基づいて検査用交流信号Ｖｘの電圧実効値Ｖｘｅを算出すると共に、算出した検出電流Ｉ１の電流値Ｉ１ｒｅおよび第２巻線２３のターン数（Ｎ２）に基づいて交流電流Ｉｘの電流値（本例では電流実効値Ｉｘｅ（＝Ｎ２×Ｉ１ｒｅ））を算出する。次いで、処理部４３は、算出した検査用交流信号Ｖｘおよび交流電流Ｉｘの各実効値Ｖｘｅ，Ｉｘｅに基づいて、交流電圧Ｖ１の周波数がｆのときの測定対象回路５の抵抗値Ｒｘ（＝Ｖｘｅ／Ｉｘｅ）を算出すると共に、算出した抵抗値Ｒｘを、抵抗値Ｒｘの算出に際して使用したパラメータ（検出電流Ｉ１の電流値Ｉ１ｅ）と共にメモリに記憶する。上記したように、処理部４３は、この抵抗測定処理１００を所定周期で繰り返し実行して、算出した抵抗値Ｒｘのうちの最新の複数個（本例では５個）分をメモリに記憶する。これにより、抵抗値Ｒｘの算出・記憶処理が完了する。
【００３９】
最後に、処理部４３は、算出した最新の抵抗値Ｒｘを出力部４４に出力させる（ステップ１０３）。この場合、処理部４３は、最新の抵抗値Ｒｘが測定範囲内であるときには、出力部４４にこの抵抗値Ｒｘを表示させる。一方、処理部４３は、この抵抗値Ｒｘが測定範囲を超えているときには「Ｏ．Ｆ」を、算出した抵抗値Ｒｘに代えて表示させる。また、処理部４３は、この抵抗値Ｒｘが測定範囲を下回っているとき（負の値のとき）には数値「０」を、算出した抵抗値Ｒｘに代えてそれぞれ表示させる。これにより、抵抗測定処理１００が完了する。なお、注入クランプ部１１が測定対象回路５の配線５ａをクランプしていない状態、またはクランプしていたとしても測定対象回路５がオープン状態のときには、配線５ａには交流電流Ｉｘが流れず、検出クランプ部２１の第２巻線２３から出力される検出電流Ｉ１はほぼゼロとなる。したがって、電流検出部４２から出力される電流データＤｉは電流検出部４２でのオフセット電流値Ｉｏｆｆ分のデータのみとなるため、算出される抵抗値Ｒｘは無限大の値となる。
【００４０】
次に、オフセット更新処理１１０について説明する。本例では、一例として、処理部４３は、新たな抵抗値Ｒｘを算出する都度、このオフセット更新処理１１０を実行する。
【００４１】
このオフセット更新処理１１０では、処理部４３は、まず、メモリに記憶した複数個の抵抗値Ｒｘを読み出し（ステップ１１１）、次いで、各抵抗値Ｒｘに対する比較処理を実行する（ステップ１１２）。この比較処理では、処理部４３は、同じくメモリに記憶されている抵抗しきい値Ｒｔｈを読み出すと共に、先に読み出したすべての抵抗値Ｒｘと比較する。また、処理部４３は、各抵抗値Ｒｘを数値「０」とも比較する（各抵抗値Ｒｘが負の値であるか否かについて判別する）。
【００４２】
この比較処理での結果、すべての抵抗値Ｒｘがオフセット更新可能状態となっているとき、つまりすべての抵抗値Ｒｘが抵抗しきい値Ｒｔｈ以上となってオフセット更新可能状態にあるか、または各抵抗値Ｒｘが負の値となってオフセット更新可能状態にあるときには、処理部４３は、オフセット値の更新を実行する（ステップ１１３）。具体的には、処理部４３は、最新の抵抗値Ｒｘに対応してメモリに記憶した検出電流Ｉ１の電流値Ｉ１ｅを読み出し、この電流値Ｉ１ｅを新たなオフセット電流値Ｉｏｆｆとしてメモリに記憶されているオフセット電流値Ｉｏｆｆを更新し（上書きして記憶し）、オフセット更新処理１１０を完了させる。一方、処理部４３は、ステップ１１２での比較処理の結果、上記のオフセット更新可能状態となっていないとき（メモリから読み出したすべての抵抗値Ｒｘが正の値であって、少なくとも１つが抵抗しきい値Ｒｔｈ未満のとき）には、ステップ１１３に移行することなく、オフセット更新処理１１０を完了させる。
【００４３】
以上のように、処理部４３は、新たな抵抗値Ｒｘの測定の都度、オフセット更新処理１１０を実行して、メモリに記憶したすべての抵抗値Ｒｘが上記のオフセット更新可能状態となっているとき、つまり複数の抵抗値Ｒｘを算出する期間に亘って各抵抗値Ｒｘが上記した２つのオフセット更新可能状態のうちの一方の状態で安定しているとき、すなわち、抵抗値Ｒｘの算出の元となる検出電流Ｉ１の電流値Ｉ１ｅが安定しているときに、この電流値Ｉ１ｅを新たなオフセット電流値Ｉｏｆｆとして更新記憶する。このため、抵抗測定装置１では、常に最新のオフセット電流値Ｉｏｆｆを使用して正しい値の抵抗値Ｒｘが算出される。
【００４４】
このように、この抵抗測定装置１によれば、算出した抵抗値Ｒｘが抵抗しきい値Ｒｔｈ以上となるかまたは負の値となるオフセット更新可能状態のときに、処理部４３がオフセット更新処理を実行して、検出クランプ部２１の第２巻線２３に流れる検出電流Ｉ１の電流値Ｉ１ｅを新たな前記オフセット電流値Ｉｏｆｆとしてメモリに更新記憶させるため、常に最新のオフセット電流値Ｉｏｆｆを使用して抵抗値Ｒｘが算出される結果、温度や湿度などの環境条件の変化（使用環境の変動）や、電流検出部４２の増幅部を構成する電子部品の経時変化に起因して、オフセットが発生するような状況下においても、常に高い精度で抵抗値Ｒｘを測定することができる。
【００４５】
また、この抵抗測定装置１によれば、メモリに記憶したすべての抵抗値Ｒｘが上記のオフセット更新可能状態となっているとき、つまり複数の抵抗値Ｒｘを算出する期間に亘って各抵抗値Ｒｘが上記した２つのオフセット更新可能状態のうちの一方の状態で安定しているとき（オフセット更新可能状態が所定時間以上継続したとき）、すなわち、抵抗値Ｒｘの算出の元となる検出電流Ｉ１の電流値Ｉ１ｅが安定しているときに、この電流値Ｉ１ｅでオフセット電流値Ｉｏｆｆを更新することができるため、電流値Ｉ１ｅが安定しない状態でのオフセット電流値Ｉｏｆｆの更新を回避することができる結果、測定される抵抗値Ｒｘの信頼性を十分に向上させることができる。
【００４６】
また、この抵抗測定装置１によれば、第２巻線２３の一端が反転入力端子に接続された第１演算増幅器６１ａを有して第２巻線２３に流れる電流Ｉ１を第１電圧信号Ｖｂ１に変換して出力する第１増幅部６１と、第２巻線２３の他端が反転入力端子に接続された第２演算増幅器６４ａを有して第２巻線２３に流れる電流Ｉ１を第１電圧信号Ｖｂ１と位相が反転した（第１電圧信号Ｖｂ１と逆位相の）第２電圧信号Ｖｃ１に変換して出力する第２増幅部６４と、基準信号Ｓｒに同期して第１電圧信号Ｖｂ２および第２電圧信号Ｖｃ２を同期検波して（半周期ずつ切り替えて）第１電圧信号Ｖｂ２および第２電圧信号Ｖｃ２の正側波形のみで構成される正極性信号Ｖｄを出力する第１切替部６３と、基準信号Ｓｒに同期して第１電圧信号Ｖｂ２および第２電圧信号Ｖｃ２を同期検波して（半周期ずつ切り替えて）第１電圧信号Ｖｂ２および第２電圧信号Ｖｃ２の負側波形のみで構成される負極性信号Ｖｅを出力する第２切替部６６と、正極性信号Ｖｄおよび負極性信号Ｖｅの差分を演算して差分信号Ｖｆとして出力する差動増幅部６７とを備えて電流検出部４２が構成されている。
【００４７】
一方、従来の抵抗測定装置では、検出用変成器に形成されている検出用コイルが、一端が接地される構成（シングルエンド）となり、検出コイルに対して並列にシャント抵抗を接続する必要があると共に、外部からの誘導に起因してグランドに流れ込む誘導電流の影響を受け易く、この影響を低減するためには検出用変成器用にシールドを設けると共にこのシールドを接地する必要がある。しかしながら、このようにシールドを接地する構成を採用した場合には、安全規格（例えばＩＥＣ６１０１０国際安全規格などの安全規格）上、不利になるという問題点が存在している。したがって、この従来の抵抗測定装置と比較して、この抵抗測定装置１によれば、シングルエンドでの第２巻線２３の使用や、シャント抵抗の使用が回避できるため、安全規格をクリアしつつ、十分な検出ゲインを維持しつつ良好な周波数特性を確保することができる。
【００４８】
また、第２巻線２３の各端部に接続された第１増幅部６１と第２増幅部６４とが、第２巻線２３に発生する検出電流Ｉ１に基づいて、互いの位相が反転する第１電圧信号Ｖｂ１と第２電圧信号Ｖｃ１とを出力し、差動増幅部６７が、これらの信号Ｖｂ１，Ｖｃ１に基づいて各切替部６３，６６で生成される正極性信号Ｖｄおよび負極性信号Ｖｅの差分を演算して差分信号Ｖｆを生成する構成のため、検出電流Ｉ１にコモンモードノイズが重畳していたとしても、差動増幅部６７での差分演算において、コモンモードノイズをキャンセルすることができる。また、各切替部６３，６６が、第１および第２電圧信号Ｖｂ２，Ｖｃ２を基準信号Ｓｒに同期して切り替えて（同期検波して）、正極性信号Ｖｄおよび負極性信号Ｖｅを生成して出力する構成のため、ノーマルモードノイズが検出電流Ｉ１に含まれている場合でも、このノーマルモードノイズを除去することができる。
【００４９】
なお、本発明は、上記の構成に限定されない。例えば、上記の構成では、抵抗値Ｒｘに対する抵抗しきい値Ｒｔｈを設けて、オフセット更新可能状態であるか否かの判別を行う構成を採用したが、検出クランプ部２１の第２巻線２３に流れる検出電流Ｉ１の電流値（実効値）Ｉ１ｅと抵抗値Ｒｘとは対応する関係（反比例の関係）にあるため、検出電流Ｉ１の電流値Ｉ１ｅに基づいてオフセット更新可能状態であるか否かの判別を行う構成、つまり上記の構成とは等価の関係にある構成を採用することもできる。
【００５０】
具体的には、検出電流Ｉ１の電流値Ｉ１ｅに基づいて算出される抵抗値Ｒｘが抵抗しきい値Ｒｔｈと一致するときの電流値Ｉ１ｅを電流しきい値Ｉｔｈとしてメモリに記憶しておき、処理部４３は、図５に示すオフセット更新処理１１０のステップ１１１における抵抗値Ｒｘのメモリからの読み出しに代えて、検出電流Ｉ１の電流値Ｉ１ｅを読み出し、ステップ１１２において、読み出した電流値Ｉ１ｅが電流しきい値Ｉｔｈ以下となるか否かを判別して、電流値Ｉ１ｅが電流しきい値Ｉｔｈ以下のとき（オフセット更新可能状態のとき）にステップ１１３のオフセット値の更新を実行する。
【００５１】
この構成においても、抵抗しきい値Ｒｔｈを使用する構成と同様にして、常に最新のオフセット電流値Ｉｏｆｆを使用して抵抗値Ｒｘを算出することができるため、使用環境が変動したり、電子部品が経時変化したりするような状況下においても、常に高い精度で抵抗値Ｒｘを測定することができる。
【００５２】
また、例えば、上記の構成では、電流検出部４２を２つの切替部６３，６６を有する構成としたが、図６に示す抵抗測定装置１Ａの電流検出部４２Ａのように、１つの切替部７１を有する構成を採用することもできる。以下、抵抗測定装置１Ａについて、図６〜図８を参照して説明する。なお、抵抗測定装置１Ａは、電流検出部４２Ａの切替部７１以外の構成については抵抗測定装置１と同一に構成されている。このため、同一の構成については同一の符号を付して重複する説明を省略し、相違する電流検出部４２Ａの構成についてのみ説明する。
【００５３】
電流検出部４２Ａは、検出クランプ部２１、第１増幅部６１、第１ＢＰＦ６２、第２増幅部６４、第２ＢＰＦ６５、差動増幅部６７、切替部７１、ＬＰＦ６８、直流増幅部６９およびＡ／Ｄ変換部７０を備えている。差動増幅部６７は、第１ＢＰＦ６２から出力される第１電圧信号Ｖｂ２と第２ＢＰＦ６５から出力される第２電圧信号Ｖｃ２とを入力して、これらの信号Ｖｂ２，Ｖｃ２の差分信号Ｖｇを出力する。本例では、差動増幅部６７は、一例として、図７に示すように、抵抗測定装置１と同じ差動増幅部として構成されている。この構成により、差動増幅部６７は、同図に示すように、第１電圧信号Ｖｂ２と第２電圧信号Ｖｃ２の差分を検出して、差分信号Ｖｇとして出力する。この差分信号Ｖｇは、その振幅が検出電流Ｉ１の電流値に比例する交流信号となる。
【００５４】
切替部７１は、本発明における抽出部の一例であって、基準信号Ｓｒに同期して差分信号Ｖｇを同期検波して、差分信号Ｖｇの正側波形のみまたは負側波形のみ（本例では、図８に示すように一例として正側波形のみ）で構成される片極性信号Ｖｈを抽出して出力する。具体的には、切替部７１は、例えばアナログスイッチで構成されて、処理部４３から出力される基準信号Ｓｒに同期して、同図に示すように、差分信号Ｖｇと基準電圧（グランド電位）とを半周期ずつ切り替えて出力する（同期検波動作する）ことにより、正極性信号である片極性信号Ｖｈを出力する。ＬＰＦ６８は、片極性信号Ｖｈに含まれている交流成分のほとんどを除去して、直流成分Ｖｄｃ（図８参照）を選択的に通過させる。直流増幅部６９は、図６に示すように、所定の増幅率で直流成分Ｖｄｃを増幅して直流電圧Ｖｄｃ１として出力する。Ａ／Ｄ変換部７０は、この直流電圧Ｖｄｃ１をデジタルデータに変換して電流データＤｉとして出力する。この場合、この電流データＤｉは、検出電流Ｉ１を表すデータとなる。
【００５５】
この抵抗測定装置１Ａにおいても、抵抗測定装置１と同様にして、処理部４３が、まず、電流データＤｉ等に基づいて検出電流Ｉ１の電流値Ｉ１ｅを算出し、この電流値Ｉ１ｅからオフセット電流値Ｉｏｆｆを減算して検出電流Ｉ１についての電流値Ｉ１ｒｅを算出し、次いで、交流電圧Ｖ１の電圧実効値および第１巻線１３のターン数（Ｎ１）に基づいて検査用交流信号Ｖｘの電圧実効値Ｖｘｅを算出すると共に、算出した検出電流Ｉ１の電流値Ｉ１ｒｅおよび第２巻線２３のターン数（Ｎ２）に基づいて交流電流Ｉｘの電流値（本例では電流実効値Ｉｘｅ（＝Ｎ２×Ｉ１ｒｅ））を算出し、最後に、算出した検査用交流信号Ｖｘおよび交流電流Ｉｘの各実効値Ｖｘｅ，Ｉｘｅに基づいて、測定対象回路５の抵抗値Ｒｘ（＝Ｖｘｅ／Ｉｘｅ）を算出することができる。したがって、この抵抗測定装置１Ａにおいても、電流検出部４２Ａの構成が抵抗測定装置１の電流検出部４２と相違するのみで、他の構成は抵抗測定装置１と同じため、抵抗測定装置１と同様にして抵抗しきい値Ｒｔｈや電流しきい値Ｉｔｈを使用することにより、検出電流Ｉ１の電流値Ｉ１ｅでオフセット電流値Ｉｏｆｆを更新することができ、常に最新のオフセット電流値Ｉｏｆｆを使用して抵抗値Ｒｘが算出される結果、使用環境が変動したり、電子部品が経時変化したりするような状況下においても、常に高い精度で抵抗値Ｒｘを測定することができる。
【００５６】
また、この抵抗測定装置１Ａも、抵抗測定装置１と同様にして、シングルエンドでの第２巻線２３の使用や、シャント抵抗の使用が回避できるため、十分な検出ゲインを維持しつつ良好な周波数特性を確保することができる。また、差動増幅部６７が第１ＢＰＦ６２から出力される第１電圧信号Ｖｂ２と第２ＢＰＦ６５から出力される第２電圧信号Ｖｃ２との差分信号Ｖｇを算出して出力する構成のため、検出電流Ｉ１にコモンモードノイズが重畳していたとしても、差動増幅部６７での差分演算において、コモンモードノイズをキャンセルすることができる。また、切替部７１が差分信号Ｖｇを同期検波する構成のため、ノーマルモードノイズが検出電流Ｉ１に含まれている場合でも、このノーマルモードノイズを除去することができる。
【００５７】
また、例えば、上記の抵抗測定装置１，１Ａでは、各演算増幅器６１ａ，６４ａの後段にコンデンサ６１ｅ，６４ｅをそれぞれ配設しているが、各演算増幅器６１ａ，６４ａのオフセット電圧が極めて小さなときには、コンデンサ６１ｅ，６４ｅを配設しない構成を採用することもできる。この構成では、各抵抗６１ｄ，６４ｄについても不要とすることができる。また、抵抗値Ｒｘの測定精度の向上のために第１および第２ＢＰＦ６２，６５を使用する構成について上記したが、必要とされる測定精度が確保できるときには、第１および第２ＢＰＦ６２，６５を配設しない構成を採用することもできる。また、本発明における抽出部の一例として、各切替部６３，６６や、切替部７１を使用した例について上記したが、乗算器を使用して同期検波する構成を採用することもできる。また、検査用交流信号Ｖｘの電圧値としての電圧実効値と交流電流Ｉｘの電流値としての電流実効値とに基づいて抵抗値Ｒｘを算出する例について上記したが、電圧値は電圧実効値に限定されるものではなく、また電流値も電流実効値に限定されるものではない。具体的には、検査用交流信号Ｖｘの電圧値としての電圧平均値と交流電流Ｉｘの電流値としての電流平均値とに基づいて抵抗値Ｒｘを算出する構成や、検査用交流信号Ｖｘの電圧値としてのピークｔｏピーク値（電圧振幅）と交流電流Ｉｘの電流値としてのピークｔｏピーク値（電流振幅）とに基づいて抵抗値Ｒｘを算出する構成や、検査用交流信号Ｖｘの電圧値としての電圧ピーク値と交流電流Ｉｘの電流値としての電流ピーク値とに基づいて抵抗値Ｒｘを算出する構成を採用することもできる。
【００５８】
また、例えば、上記の抵抗測定装置１，１Ａでは、処理部４３がオフセット更新可能状態（各抵抗値Ｒｘが抵抗しきい値Ｒｔｈ以上か、または負の値となっている状態）か否かを判別して、オフセット更新可能状態のときには常にオフセット値の更新を実行する構成を採用しているが、図１，６に示すように、操作内容に応じて更新信号Ｓ１を生成して処理部４３に出力する操作部４５を備える構成として、作業者が操作部４５を操作して、所望するタイミングでオフセット値を更新し得るように構成することもできる。この構成におけるオフセット更新処理１２０について、図９を参照して説明する。なお、オフセット更新処理１２０は、図５のオフセット更新処理１１０と比較してステップ１２１を含んでいる点でのみ相違するため、オフセット更新処理１１０と同一のステップについては同一の符号を付して詳細な説明を省略する。
【００５９】
このオフセット更新処理１２０では、処理部４３が、まず、操作部４５から更新信号Ｓ１を入力しているか否かを判別し（ステップ１２１）、入力していないときにはオフセット更新処理１２０を完了させる。一方、ステップ１２１において、操作部４５からの更新信号Ｓ１を入力しているときには、オフセット更新処理１１０と同様にして、ステップ１１１〜１１３を実行することにより、すべての抵抗値Ｒｘがオフセット更新可能状態となっているときに、最新の抵抗値Ｒｘに対応してメモリに記憶した検出電流Ｉ１の電流値Ｉ１ｅを読み出して、この電流値Ｉ１ｅを新たなオフセット電流値Ｉｏｆｆとしてメモリに記憶されているオフセット電流値Ｉｏｆｆを更新し、このオフセット更新処理１１０を完了する。この構成の抵抗測定装置１，１Ａによれば、作業者が操作部４５を操作して更新信号Ｓ１を出力させたときにのみ、オフセット電流値Ｉｏｆｆを更新することができる、つまり、作業者が所望するタイミングでオフセット電流値Ｉｏｆｆを更新することができる。
【図面の簡単な説明】
【００６０】
【図１】抵抗測定装置１の構成を示す構成図である。
【図２】ＬＰＦ６８、直流増幅部６９およびＡ／Ｄ変換部７０を除く電流検出部４２の回路図である。
【図３】電流検出部４２の動作を説明するための波形図である。
【図４】抵抗測定装置１による抵抗測定処理を説明するためのフローチャートである。
【図５】抵抗測定装置１によるオフセット更新処理を説明するためのフローチャートである。
【図６】抵抗測定装置１Ａの構成を示す構成図である。
【図７】ＬＰＦ６８、直流増幅部６９およびＡ／Ｄ変換部７０を除く電流検出部４２Ａの回路図である。
【図８】電流検出部４２Ａの動作を説明するための波形図である。
【図９】抵抗測定装置１，１Ａによる他のオフセット更新処理を説明するためのフローチャートである。
【符号の説明】
【００６１】
１，１Ａ  抵抗測定装置
５  測定対象回路
２３  第２巻線（検出コイル）
４１  電圧注入部
４２，４２Ａ  電流検出部
４３  処理部
６１  第１増幅部
６２  第１ＢＰＦ
６３  第１切替部
６４  第２増幅部
６５  第２ＢＰＦ
６６  第２切替部
６７  差動増幅部
７１  切替部
Ｉｔｈ  電流しきい値
Ｉｘ  交流電流
Ｒｔｈ  抵抗しきい値
Ｒｘ  抵抗
Ｓ１  更新信号
Ｓｒ  基準信号
Ｖｂ１，Ｖｂ２  第１電圧信号
Ｖｃ１，Ｖｃ２  第２電圧信号
Ｖｄ  正極性信号
Ｖｅ  負極性信号
Ｖｆ，Ｖｇ  差分信号
Ｖｈ  片極性信号
Ｖｔｈ  しきい値
Ｖｘ  検査用交流信号
【図１】
2010107264.tif 000003
【図２】
2010107264.tif 000004
【図３】
2010107264.tif 000005
【図４】
2010107264.tif 000006
【図５】
2010107264.tif 000007
【図６】
2010107264.tif 000008
【図７】
2010107264.tif 000009
【図８】
2010107264.tif 000010
【図９】
2010107264.tif 000011